(57)【要約】【課題】解体することなくパチンコ遊技機及びスロットマシンのどちらも任意に設置することができるとともに、載置台の取付強度を向上させて遊技機を安定して載置させることができる島設備を提供する。【解決手段】パチンコ遊技機Ｐ及びスロットマシンＳから成る遊技機を長手方向に亘って任意選択的に設置可能な島設備であって、長手方向に所定寸法離間して固設されたフレームＦと、遊技機を載置可能とされるとともに載置される遊技機に応じて上下方向に移動して所定高さにてフレームＦに固定可能とされた載置台１と、該載置台１の下部に位置しつつ長手方向に延設され、当該載置台１を支持する金属製の支持部材２とを具備したものである。【選択図】図５
2015228981.tif 000002
【特許請求の範囲】
【請求項１】
パチンコ遊技機及びスロットマシンから成る遊技機を長手方向に亘って任意選択的に設置可能な島設備であって、
長手方向に所定寸法離間して固設されたフレームと、
前記遊技機を載置可能とされるとともに載置される遊技機に応じて上下方向に移動して所定高さにて前記フレームに固定可能とされた載置台と、
該載置台の下部に位置しつつ長手方向に延設され、当該載置台を支持する金属製の支持部材と、
を具備したことを特徴とする島設備。
【請求項２】
前記支持部材は、筒状部材から成ることを特徴とする請求項１記載の島設備。
【請求項３】
前記支持部材は、断面ロ字状部材から成ることを特徴とする請求項２記載の島設備。
【請求項４】
前記支持部材は、前記載置台が前記フレームに固定された状態で当該載置台とフレームとの間に介在して載置台上の遊技機の荷重を受け得ることを特徴とする請求項１〜３の何れか１つに記載の島設備。
【発明の詳細な説明】
【技術分野】
【０００１】
本発明は、パチンコ遊技機及びスロットマシンから成る遊技機を任意選択的に設置可能な島設備に関するものである。
【背景技術】
【０００２】
パチンコ遊技機の島設備は、パチンコ店内ホールに設置され、複数のパチンコ遊技機が横並び（島設備の長手方向）に配設されるとともに、それらパチンコ遊技機に対して遊技球を補給するための補給レーン（遊技球補給手段）及び当該パチンコ遊技機から遊技球を回収するための回収レーン（遊技球回収手段）が配設されている。一方、パチスロ等のスロットマシンの島設備は、パチンコ遊技機の島設備と同様、パチンコ店内ホールに設置され、複数のスロットマシンが横並び（島設備の長手方向）に配設されるとともに、それらスロットマシンに対してメダルを補給するための補給コンベア（メダル補給手段）及び当該スロットマシンからメダルを回収するための回収コンベア（メダル回収手段）が配設されている。なお、かかる先行技術は、文献公知発明に係るものでないため、記載すべき先行技術文献情報はない。
【発明の概要】
【発明が解決しようとする課題】
【０００３】
上記従来の島設備においては、以下の如き問題があった。
パチンコ遊技機が設置された島設備をスロットマシンが設置された島設備に変更する場合、パチンコ遊技機とスロットマシンとでは外観や付帯設備、それに使用される遊技媒体の種類が遊技球とメダルとで異なるため、島設備を解体して新たに島設備を設置する必要があり、当該変更に伴うコストや工事期間を要するといった問題があった。
【０００４】
そこで、本出願人は、遊技機を載置し得る載置台を上下移動可能とするとともに、載置する遊技機（パチンコ遊技機又はスロットマシン）に応じて載置台の高さを変更可能とした島設備を検討するに至った。しかしながら、その場合、載置台を上下移動可能としつつ比較的重量が大きな遊技機を載置させる必要があることから、載置台の取付強度が不足してしまう虞があり、遊技機を安定して載置させることが困難となる可能性があった。
【０００５】
本発明は、このような事情に鑑みてなされたもので、解体することなくパチンコ遊技機及びスロットマシンのどちらも任意に設置することができるとともに、載置台の取付強度を向上させて遊技機を安定して載置させることができる島設備を提供することにある。
【課題を解決するための手段】
【０００６】
請求項１記載の発明は、パチンコ遊技機及びスロットマシンから成る遊技機を長手方向に亘って任意選択的に設置可能な島設備であって、長手方向に所定寸法離間して固設されたフレームと、前記遊技機を載置可能とされるとともに載置される遊技機に応じて上下方向に移動して所定高さにて前記フレームに固定可能とされた載置台と、該載置台の下部に位置しつつ長手方向に延設され、当該載置台を支持する金属製の支持部材とを具備したことを特徴とする。
【０００７】
請求項２記載の発明は、請求項１記載の島設備において、前記支持部材は、筒状部材から成ることを特徴とする。
【０００８】
請求項３記載の発明は、請求項２記載の島設備において、前記支持部材は、断面ロ字状部材から成ることを特徴とする。
【０００９】
請求項４記載の発明は、請求項１〜３の何れか１つに記載の島設備において、前記支持部材は、前記載置台が前記フレームに固定された状態で当該載置台とフレームとの間に介在して載置台上の遊技機の荷重を受け得ることを特徴とする。
【発明の効果】
【００１０】
請求項１の発明によれば、長手方向に所定寸法離間して固設されたフレームと、遊技機を載置可能とされるとともに載置される遊技機に応じて上下方向に移動して所定高さにてフレームに固定可能とされた載置台と、該載置台の下部に位置しつつ長手方向に延設され、当該載置台を支持する金属製の支持部材とを具備したので、解体することなくパチンコ遊技機及びスロットマシンのどちらも任意に設置することができるとともに、載置台の取付強度を向上させて遊技機を安定して載置させることができる。
【００１１】
請求項２の発明によれば、支持部材は、筒状部材から成るので、載置台の取付強度向上に加えて軽量化を図ることができる。
【００１２】
請求項３の発明によれば、支持部材は、断面ロ字状部材から成るので、断面が他の形状の筒状部材に比べ、載置台の取付強度をより向上させることができる。
【００１３】
請求項４の発明によれば、支持部材は、載置台がフレームに固定された状態で当該載置台とフレームとの間に介在して載置台上の遊技機の荷重を受け得るので、載置台に載置される遊技機に応じた上下方向の移動をより円滑に行わせることができるとともに、載置台の取付強度をより向上させることができる。
【図面の簡単な説明】
【００１４】
【図１】本発明の実施形態に係る島設備の全体構成を示す正面図
【図２】同島設備の全体構成を示す背面図
【図３】同島設備を示す側面図
【図４】同島設備におけるフレームを示す側面図
【図５】同島設備における載置台の取付構造を示すための拡大図
【図６】同島設備における支持部材を示す正面図及び側面図
【図７】同島設備における取付部材の取付構造を示すための拡大図
【発明を実施するための形態】
【００１５】
以下、本発明の実施形態について図面を参照しながら具体的に説明する。
本実施形態に係る島設備は、パチンコ遊技店内のホール等、遊技場の床に固定されるもので、図１〜３に示すように、遊技球を遊技媒体として使用して遊技するパチンコ遊技機Ｐと、メダルを遊技媒体として使用して遊技するスロットマシンＳ（所謂「パチスロ」と称される遊技機）とから成る遊技機を任意選択的に設置可能とされるとともに、フレームＦと、載置台１と、支持部材２と、スペーサ５と、取付部材６とを有して構成されている。
【００１６】
フレームＦは、島設備の長手方向（図１、２中左右方向）に所定寸法離間して固設（本実施形態においては複数固設）された金属製部材から成り、図４に示すように、第１フレーム部Ｆａと、第２フレーム部Ｆｂと、第３フレーム部Ｆｃと、第４フレーム部Ｆｄとから主に構成されている。なお、これら第１フレーム部Ｆａ〜第４フレーム部Ｆｄは、それぞれ同一金属材から成り、例えば溶接等によって組み付けられている。
【００１７】
第１フレーム部Ｆａは、それぞれのフレームＦの下部に位置するとともに、載置台１を任意高さで固定し得るものである。より具体的には、第１フレーム部Ｆａには、高さ方向に複数のネジ孔が形成されており、何れのネジ孔にボルトを挿通して載置台１を固定するかによって当該載置台１の固定位置を任意の高さで設定できるのである。なお、載置台１の固定は、ボルトに限らず、他の汎用的な固定手段を用いるようにしてもよい。
【００１８】
載置台１は、所謂「膳板」に相当するもので、図３に示すように、遊技機（パチンコ遊技機Ｐ又はスロットマシンＳ）を載置可能とされるとともに載置される遊技機に応じて上下方向に移動して所定高さにてフレームＦに固定可能とされた木製部材から成る。より具体的には、載置台１は、上面に遊技機（パチンコ遊技機Ｐ又はスロットマシンＳ）が載置可能な板状の膳板部１ｃと、該膳板部１ｃから下方に垂下して形成された所定部位１ａとを有して構成されており、島設備の一端から他端に亘って（島設備の長手方向に亘って）取り付けられるようになっている。
【００１９】
しかして、同図に示すように、載置台１にパチンコ遊技機Ｐを載置する際には、当該載置台１を床面からＨ１の高さで固定するとともに、スロットマシンＳを載置する際には、当該載置台１を床面からＨ２の高さ（Ｈ１より低い高さ）で固定し得るようになっている。なお、本実施形態に係る載置台１（膳板部１ｃ）は、フレームＦの設置位置に切欠きが形成されており、当該切欠きにより載置台１が上下に移動するのを許容している。
【００２０】
支持部材２は、載置台１の下部（具体的には膳板部１ｃ）に位置しつつ長手方向（図１、２中左右方向）に延設され、当該載置台１を支持する金属製部材から成るもので、本実施形態においては、図６に示すように、断面ロ字状（空間部分が矩形状）の筒状部材（中空状部材）から成る。すなわち、支持部材２は、載置台１（膳板部１ｃ）の下部にネジ等で固定されており、上述のように、載置台１をフレームＦ（具体的には第１フレーム部Ｆａ）の所定位置に固定（ボルト等の締結手段による固定）した状態で膳板部１ｃとフレームＦとの間に介在し、当該膳板部１ｃに遊技機が載置された際の荷重を受け得るものとされている。
【００２１】
一方、フレームＦにおける第１フレーム部Ｆａには、図５に示すように、所定位置に当接部材８が固定されている。かかる当接部材８は、載置台１の所定部位１ａと当接して当該載置台１を所定の高さ（図３中Ｈ２の高さ）で位置決め可能なもので、第１フレーム部Ｆａにボルト等の締結手段で固定されている。すなわち、載置台１の所定部位１ａを当接部材８に当接させることにより、スロットマシンＳを載置すべき高さＨ２に載置台１を位置決めできるので、その状態で載置台１を第１フレーム部Ｆａに固定させれば、容易に載置台１を高さＨ２にて取り付けることができるのである。
【００２２】
さらに、本実施形態においては、当接部材８と載置台１の所定部位１ａとの間に介在可能とされ、当該載置台１を所定の高さ（図３中Ｈ１の高さ）で位置決め可能なスペーサ５を有している。すなわち、当接部材８上にスペーサ５を介在させた後、載置台１の所定部位１ａをスペーサ５に当接させることにより、パチンコ遊技機Ｐを載置すべき高さＨ１に載置台１を位置決めできるので、その状態で載置台１を第１フレーム部Ｆａに固定させれば、容易に載置台１を高さＨ１にて取り付けることができるのである。
【００２３】
またさらに、本実施形態においては、スペーサ５、当接部材８及び載置台１の所定部位１ａは、一体部材を切削加工して切り分けられて成るものとされている。例えば、一枚の木製板材を所定寸法で切削して３枚に切り分け、それぞれをスペーサ５、当接部材８及び載置台１の所定部位１ａとして用いるよう構成されている。これにより、載置台１を高さＨ１にて位置決めする際、スペーサ５を当接部材８と載置台１の所定部位１ａとの間に良好に介在させることができる。
【００２４】
なお、載置台１の所定部位１ａ及び当接部材８には、それぞれ腰板取付用部材１ｂ、２ａが取り付けられており、載置台１にパチンコ遊技機Ｐを載置する際（載置台１がＨ１の高さのとき）、腰板取付用部材１ｂ、２ａの間にパチンコ遊技機用腰板３を取り付け可能とされるとともに、載置台１にスロットマシンＳを載置する際（載置台１がＨ２の高さのとき）、腰板取付用部材１ｂ、２ａの間にスロットマシン用腰板４を取り付け可能とされている。
【００２５】
また、本実施形態に係るフレームＦの上部（第４フレーム部Ｆｄ）には、図７に示すように、取付部材６が取り付けられている。かかる取付部材６は、載置台１にパチンコ遊技機Ｐが載置された際に当該パチンコ遊技機Ｐの上部を支持するための支持板Ｂが取付可能とされるとともに、載置台１にスロットマシンＳが載置された際に当該スロットマシンＳで使用されるメダルの保持容器を保持可能な保持部材７が取付可能とされたものである。
【００２６】
より具体的には、取付部材６は、その下部に取付板６ａを有しており、当該取付板６ａに対して選択的に支持板Ｂ又は保持部材７がボルト等にて取り付け可能とされているとともに、保持部材７の下部には、載置台１にスロットマシンＳが載置された際に当該スロットマシンＳの上部を支持するための支持板Ｃが取り付けられている。保持部材７は、棚状に形成された部材から成り、取付板６ａにボルト等で固定された状態にて遊技者が任意にメダルの保持容器を載置し得るよう構成されている。なお、載置台１にパチンコ遊技機Ｐを載置する場合、載置台１の上面に支持板Ａ（図５参照）が取り付けられ、支持板Ａ及び支持板Ｂの間にパチンコ遊技機Ｐが挟持されつつ取り付けられるようになっている。
【００２７】
さらに、取付部材６は、載置台１に載置される遊技機に応じてフレームＦ（第４フレーム部Ｆｄ）に対する取付位置が変更可能とされている。具体的には、第４フレーム部Ｆｄには、高さ方向に複数のネジ孔が形成されており、何れのネジ孔にボルトを挿通して取付部材６を固定するかによって当該取付部材６の固定位置を任意の高さで設定できるのである。なお、取付部材６の固定は、ボルトに限らず、他の汎用的な固定手段を用いるようにしてもよい。
【００２８】
上記実施形態によれば、長手方向（複数の遊技機が並ぶ方向）に所定寸法離間して固設されたフレームＦと、遊技機（パチンコ遊技機Ｐ又はスロットマシンＳ）を載置可能とされるとともに載置される遊技機に応じて上下方向に移動して所定高さにてフレームＦに固定可能とされた載置台１と、載置台１の下部に位置しつつ長手方向に延設され、当該載置台１を支持する金属製の支持部材２とを具備したので、解体することなくパチンコ遊技機Ｐ及びスロットマシンＳのどちらも任意に設置することができるとともに、載置台１の取付強度を向上させて遊技機を安定して載置させることができる。
【００２９】
また、本実施形態に係る支持部材２は、筒状部材から成るので、載置台１の取付強度向上に加えて軽量化を図ることができる。さらに、本実施形態に係る支持部材２は、筒状部材であり、且つ、断面ロ字状部材から成るので、断面が他の形状の筒状部材に比べ、載置台の取付強度をより向上させることができる。またさらに、本実施形態に係る支持部材２は、載置台１がフレームＦに固定された状態で当該載置台１とフレームＦとの間に介在して載置台１上の遊技機の荷重を受け得るので、載置台１に載置される遊技機に応じた上下方向の移動をより円滑に行わせることができるとともに、載置台１の取付強度をより向上させることができる。
【００３０】
加えて、上記実施形態によれば、長手方向（複数の遊技機が並ぶ方向）に所定寸法離間して固設されたフレームＦと、遊技機（パチンコ遊技機Ｐ又はスロットマシンＳ）を載置可能とされるとともに載置される遊技機に応じて上下方向に移動して所定高さにてフレームＦに固定可能とされた載置台１と、フレームＦに固定され、載置台１の所定部位１ａと当接して当該載置台１を所定の高さで位置決め可能な当接部材８と、当接部材８と載置台１の所定部位１ａとの間に介在可能とされ、当該載置台１を所定の高さで位置決め可能なスペーサ５とを具備したので、解体することなくパチンコ遊技機Ｐ及びスロットマシンＳのどちらも任意に設置することができるとともに、載置台１を所定の高さで固定させる作業を円滑且つ確実に行わせることができる。特に、本実施形態においては、スペーサ５、当接部材８及び載置台１の所定部位１ａは、一体部材を切削加工して切り分けられて成るので、載置台１を高さＨ１にて位置決めする際、スペーサ５を当接部材８と載置台１の所定部位１ａとの間に良好に介在させることができる。
【００３１】
また、上記実施形態によれば、長手方向（複数の遊技機が並ぶ方向）に所定寸法離間して固設されたフレームＦと、遊技機（パチンコ遊技機Ｐ又はスロットマシンＳ）を載置可能とされるとともに載置される遊技機に応じて上下方向に移動して所定高さにてフレームＦに固定可能とされた載置台１と、フレームＦの上部に取り付けられ、載置台１にパチンコ遊技機Ｐが載置された際に当該パチンコ遊技機Ｐの上部を支持するための支持板Ｂが取付可能とされるとともに、載置台１にスロットマシンＳが載置された際に当該スロットマシンで使用されるメダルの保持容器を保持可能な保持部材７が取付可能とされた取付部材６とを具備したので、解体することなくパチンコ遊技機Ｐ及びスロットマシンＳのどちらも任意に設置することができるとともに、別個の専用部材を不要としつつ（すなわち、パチンコ遊技機Ｐの上部を支持させ得る取付部材６にて保持部材７を取り付けることができ、パチンコ遊技機Ｐを載置する際とスロットマシンＳを載置する際とで取付部材６の機能を変える）メダルの保持容器を保持するための保持部材７を取り付けることができる。特に、本実施形態においては、取付部材６は、載置台１に載置される遊技機に応じてフレームＦに対する取付位置が変更可能とされたので、パチンコ遊技機Ｐ及びスロットマシンＳを載置台１上により確実に安定して載置させることができる。
【００３２】
以上、本実施形態について説明したが、本発明はこれに限定されるものではなく、載置手段１について、遊技機（パチンコ遊技機Ｐ又はスロットマシンＳ）を載置可能とされるとともに載置される遊技機に応じて上下方向に移動して所定高さにてフレームＦに固定可能とされたものであれば足り、例えば上下方向に移動可能な枠体の一部を構成するものであってもよい。また、本実施形態においては、島設備の正面側にパチンコ遊技機Ｐ（図１参照）が専ら設置され、島設備の背面側にスロットマシンＳ（図２参照）が専ら設置されたものとされているが、正面側又は背面側において載置台１及び支持部材２を複数有し、正面側又は背面側にパチンコ遊技機Ｐ及びスロットマシンＳを混合して設置し得るものとしてもよい。
【産業上の利用可能性】
【００３３】
長手方向に所定寸法離間して固設されたフレームと、遊技機を載置可能とされるとともに載置される遊技機に応じて上下方向に移動して所定高さにてフレームに固定可能とされた載置台と、該載置台の下部に位置しつつ長手方向に延設され、当該載置台を支持する金属製の支持部材とを具備した島設備であれば、外観形状が異なるもの或いは他の機能が付加されたもの等にも適用することができる。
【符号の説明】
【００３４】
１  載置台
２  支持部材
３  パチンコ遊技機用腰板
４  スロットマシン遊技機用腰板
５  スペーサ
６  取付部材
７  保持部材
８  当接部材
Ｆ  フレーム
Ｐ  パチンコ遊技機
Ｓ  スロットマシン
【図１】
2015228981.tif 000003
【図２】
2015228981.tif 000004
【図３】
2015228981.tif 000005
【図４】
2015228981.tif 000006
【図５】
2015228981.tif 000007
【図６】
2015228981.tif 000008
【図７】
2015228981.tif 000009